(57)【要約】【課題】本考案は、少なくとも１枚のシートを用い意志伝達を可能にし、場所や時間、状況および対象者を選ばない、習得技術や電力等のエネルギー源も不要な意志伝達手段を提供する。【解決手段】意志伝達を目的とする際に、イラストおよび文字を描いた意思伝達シートを用い、さらに該シート内に余白を設け、書き込みおよび／又は貼り付けまたは消去も可能とし、材質には耐水性、耐久性、耐油性のある合成紙を採用する手段を用い課題を解決する。【選択図】  図１
0003111149.tif 000002
【実用新案登録請求の範囲】
【請求項１】
意志を伝達する為のイラスト、文字などを少なくともひとつ描いたシートであって、該シート内の任意の位置に余白を設け、該余白に書き込みおよび／又は貼り付けが可能であり、さらに書き込みおよび／又は貼り付けの消去をも可能なことを特徴とする、意志伝達手段用シート。
【請求項２】
請求項１において、意志伝達の内容が人体の特定部位を示すものであって、その特定部位を示したイラストおよび文字と、意志内容を示したイラストおよび文字の両方指し示すことにより、意志伝達を可能にし、またその意志伝達内容が身体的、生理的、精神的な状態を含むものであって、その身体的、生理的、精神的な状態をイラストおよび文字の両方を指し示すことで意志伝達を可能にし、さらに肉体的及び精神的な状態を尺度で表す図や色を指し示すことにより、その度合いを示すことができる手段を備えたことを特徴とする、意志伝達手段用シート。
【請求項３】
請求項１および請求項２において、飲食物のイラストおよび文字を描いて表現し、飲食を希望するものを伝言確認ができる手段を備えたことを特徴とする、意志伝達手段用シート。
【請求項４】
請求項１において、意志を伝達するために描かれたイラストおよび文字と日本語５０音表と大文字および小文字からなるアルファベットと記号と数字を描いたものを指し示すことで、意志伝達を可能にし、またそれらに対応する文字番号が表記されていることで文字番号による意志伝達を可能とすることを特徴とする、意志伝達手段用シート。
【請求項５】
請求項１ないし請求項４において、複数シートを連結させる際にシートの大きさを段階的に変化させる事により、要求伝達内容を示すイラストおよび文字および記号が記された箇所を一目検索可能であり、また片手での開閉ができ開いた状態を維持できることも可能であることを特徴とする、意志伝達手段用シート。
【請求項６】
請求項１ないし請求項５において、意志伝達用シートの材質は、日常生活における、耐水性、耐久性、耐油性のあるシートであり、さら表面にコーティング加工を有したことを特徴とする、意志伝達手段用シート。
【考案の詳細な説明】
【技術分野】
【０００１】
本考案は、イラストや文字を用い意志伝達を行なう場合において、簡単明確かつ自由な書き込み、貼り付けおよび削除ができる意志伝達をするための、意志伝達手段に関するものである。
【背景技術】
【０００２】
一般に健常者同士が意志伝達を行なう場合には文字や音声などが用いられる。したがって、明瞭な声を発しての会話が困難な障害者が意志伝達を行なう場合、手話、筆談、会話カード等または相手からの問いかけに受身的な意志伝達を行なっていた。近年においてはハイテク技術を利用したコミュニケーション機器等で意志伝達も行なわれている。
【考案の開示】
【考案が解決しようとする課題】
【０００３】
しかしながら、声を発しての会話や筆談も困難かつ身体にも障害がある状態では重要な意志伝達が出来ないばかりでなく、会話が成立しない精神的および肉体的なストレスの増大のみならず、明確な意志伝達が出来ないことによる家族の生活上の負担はもちろんのこと医療や介護現場における作業コストが発生し、また相互の勘違いによる誤解、確認モレなどによる医療ミスなど重大な問題が起こりうる課題がある。
【０００４】
手話などを新しくマスターするには長期間の訓練が必要となり理解者も限定される。また、現存のハイテク技術を利用したコミュニケーション機器の導入は、多機能ではあるが、全ての人が気軽に導入できない理由に、金銭的負担および利用者のパソコンスキルの問題および、設置場所や電力エネルギー源なども不可欠でありさらに、持ち運びも難しいという問題を有している。
【０００５】
また、紙製の意志伝達手段や玩具などは会話や単語の内容に過不足やテーマの偏りがあり、単語の検索作業に時間や手間を要し、耐水性、耐久性、耐油性、自由な書き込みや消去手段が困難という欠点を有している。
【０００６】
さらに、緊急災害時において会話障害者が、第三者とのコミュニケーションや重要な意志伝達が必要な場合、明瞭かつ正確で迅速な意志伝達を目的とする手段が必要であり課題となる。
【課題を解決するための手段】
【０００７】
このような問題を解決するため本考案では図１に示すごとく、意志を伝達する為のイラスト、文字などを少なくともひとつ描いたシート１であって、該シート１内の任意の位置に余白２を設け、該余白２に書き込みおよび／又は貼り付けが可能であり、さらに書き込みおよび／又は貼り付けの消去が可能である
【０００８】
意志伝達をする際に、図１に示すごとく、人体イラストを描くことにより問題のある特定部位を示しながら、伝達したい意思の内容を文字で伝達できる。また、その意志伝達内容が身体的、生理的、精神的な状態をイラストや文字で描き相手に意志伝達が可能になる。さらに、肉体的および精神的な状態を尺度で表す図や色を描きそれを指し示すことでその度合いを確認できる。
【０００９】
飲食物のイラストおよび文字を描いて表現し、飲食を希望するものを指し示す事で意志伝達確認ができる。また、余白には対象者のみが必要な飲食物の内容を書き込みおよび削除ができることで意志伝達を可能にしている。
【００１０】
意志を伝達するために描かれたイラストおよび文字３と日本語５０音表と大文字および小文字からなるアルファベットと記号と数字を描いたもの図２を指し示すことで、意志伝達を可能にし、またそれらに対応する文字番号４が表記されていることで文字番号による意志伝達を可能にしている。たとえば登録実用新案第３０２９４５７号にある操作を簡単にした５０音表示盤があるが、本考案では日本語に限定しないアルファベット文字、数字、記号を１つのシートに描くことにより多様な意志伝達が可能になっている。
【００１１】
また、複数シートを連結させる際においては、シートの大きさを段階的に変化させる事により、要求伝達内容を示すイラストおよび文字および記号が記された箇所を一目検索可能であり、片手での開閉作業が容易にでき、開いた状態を維持できることも可能である。また、携帯や持ち運びも容易である。
【００１２】
意志伝達用シートの材質は、日常生活における、耐水性、耐久性、耐油性のあるシートであり、さら表面にコーティング加工を有したことで、雨天時や入浴時にも対応でき、長期間の使用にも可能である上、汚れや油性ペンも容易におとすことができ利用範囲が広くなっている。
【考案の効果】
【００１３】
上述のように、本考案のイラストおよび文字を描いてなる、意志伝達手段用シートは、会話障害者やそれを取り巻く人達が時間、場所、技術、心身的障害、対象者を限定すること無く、会話コミュニケーションと的確な意志伝達を実現する事ができる。しかもハイテクに依存しないため、パソコン技術が無用、電力等のエネルギー源が不要、設置のための場所もいらず携帯や常備が簡単、安価で求めやすい、ゴミの削減等の効果を有する。
【００１４】
また、障害者や介護に関するこれまでの無機質な商品イメージを一新する、視覚的にも明るい色使いやイラストの多用で、生活上での楽しさや癒し性が向上し、介護の原点であるタッチアンドケアが実現できる。
【００１５】
シート内に設けられた余白には、必要なイラストや文字の書き込み貼り付けおよび消去が自由にできることにより自分専用の意志伝達ツールを確立する事も可能になり、与えられた介護用品に対応するのではなく、障害者に対応する介護用品を創造でき、ストレス改善や障害者の自立にも効果を有する。
【００１６】
日本語５０音表と大文字および小文字からなるアルファベットと記号と数字を描いたシートにおいては近年のインターネット環境にも対応すべく、多用するアドレス文字なども描き時代に対応している。さらに文字に文字番号が表記されていることで身体的に指差しなどが難しい場合において文字番号を伝達することにより意志伝達を可能にしている。
【００１７】
日常生活における、耐水性、耐久性、耐油性も備えたことにより、全天候型で入浴時の利用にも対応でき、長期間の使用が可能である上、汚れや油性ペンも容易におとすことができ、多様なシーンでの活用が可能になり意志伝達手段して有効である。
【００１８】
さらに、緊急災害時や突然の第三者とのコミュニケーションにおいて、必要な意志伝達事項をテーマ毎、シート別に描くことにより的確な意志伝達が可能である上、どこへでも持ち運びでき、誰とでも意思伝達が可能になる。
【図面の簡単な説明】
【００１９】
【図１】本考案に係る使用例の図。
【図２】本考案に係る文字シートの図。
【符号の説明】
【００２０】
１  シート
２  余白
３  文字
４  文字番号
【図１】
0003111149.tif 000003
【図２】
0003111149.tif 000004
【手続補正書】
【提出日】平成17年4月12日(2005.4.12)
【手続補正１】
【補正対象書類名】実用新案登録請求の範囲
【補正対象項目名】全文
【補正方法】変更
【補正の内容】
【実用新案登録請求の範囲】
【請求項１】
意志を伝達する為のイラスト、文字などを少なくともひとつ描いたシートであって、該シート内の任意の位置に、書き込みおよび／又は貼り付けが可能であり、さらに書き込みおよび／又は剥離および消去をも可能な余白を設けた、文字、イラストを描いた層を有するか、又は該文字、イラストを描いた層上に更にコーティング層を有する、意志伝達手段用シート。
【請求項２】
請求項１において、人体の部位を示したイラストおよび文字と、意志内容を示したイラスト及び文字と、肉体的及び精神的な状態を示したイラスト及び文字と、肉体的及び精神的な状態の尺度を表す図を備えたことを特徴とする、文字、イラストを描いた層を有するか、又は該文字、イラストを描いた層上に更にコーティング層を有する、意志伝達手段用シート。
【請求項３】
請求項１および請求項２において、飲食物のイラストおよび文字を描いたことを特徴とする、文字、イラストを描いた層を有するか、又は該文字、イラストを描いた層上に更にコーティング層を有する、意志伝達手段用シート。
【請求項４】
請求項１において、意志を伝達するために描かれたイラストおよび文字と日本語５０音表と大文字および小文字からなるアルファベットと記号と数字を描いたもので、またそれらに対応する文字番号が表記されていることを特徴とする、文字、イラストを描いた層を有するか、又は該文字、イラストを描いた層上に更にコーティング層を有する、意志伝達手段用シート。
【請求項５】
請求項１ないし請求項４において、該シートは少なくとも一枚のシートであり、複数シートを有する場合には見開き状態を維持できる連結形式とし、且つ構成される該シートの大きさを段階的に変化させた、文字、イラストを描いた層を有するか、又は該文字、イラストを描いた層上に更にコーティング層を有する、意志伝達手段用シート。